(57)【特許請求の範囲】
【請求項１】
冷却されたＣＯ2を含有するボイラ排ガスとＣＯ2を吸収するＣＯ2吸収液とを接触させて前記ボイラ排ガスからＣＯ2を除去するＣＯ2吸収塔と、
ＣＯ2を吸収したＣＯ2吸収液であるリッチ溶液からＣＯ2を放出させてＣＯ2吸収液を再生する吸収液再生塔とを備え、前記吸収液再生塔でＣＯ2を除去した再生吸収液であるリーン溶液をＣＯ2吸収液として前記ＣＯ2吸収塔で再利用するＣＯ2回収システムであって、
前記吸収液再生塔から排出されたリーン溶液の熱を回収するリーン溶液降温手段と、
前記リーン溶液降温手段で熱回収された前記リーン溶液と、前記ＣＯ2を吸収したリッチ溶液とで熱交換され、該リッチ溶液により前記リーン溶液を冷却するリッチ・リーン溶液熱交換器と、
この冷却された前記リーン溶液をさらに冷却するリーンソルベントクーラと、を備え、
前記リーン溶液降温手段は、ボイラ給水の加熱に用いるボイラ給水熱交換器からなることを特徴とするＣＯ2回収システム。
【発明の詳細な説明】
【技術分野】
【０００１】
本発明は、排ガス中に含まれるＣＯ2を除去する吸収液を用いたＣＯ2回収システムに関する。
【背景技術】
【０００２】
近年、地球の温暖化現象の原因の一つとして、ＣＯ2による温室効果が指摘され、地球環境を守る上で国際的にもその対策が急務となってきた。ＣＯ2の発生源としては化石燃料を燃焼させるあらゆる人間の活動分野に及び、その排出抑制への要求が一層強まる傾向にある。これに伴い尿素等の原料(化学用途)、原油増産、及び地球温暖化対策として、大量の化石燃料を使用する火力発電所などの動力発生設備を対象に、ボイラの燃焼排ガスをアミン系ＣＯ2吸収液と接触させ、燃焼排ガス中のＣＯ2を除去、回収する方法及び回収されたＣＯ2を大気へ放出することなく貯蔵する方法が精力的に研究されている。
【０００３】
大量の燃焼排ガス中のＣＯ2を回収・貯蔵する実用的な方法として、例えばアミン水溶液等のＣＯ2吸収液と接触させる化学吸収法がある。前記のようなＣＯ2吸収液を用い、燃焼排ガスからＣＯ2を除去・回収する工程としては、ＣＯ2吸収塔において燃焼排ガスとＣＯ2吸収液とを接触させる工程、ＣＯ2を吸収した吸収液を吸収液再生塔において加熱し、ＣＯ2を遊離させると共に吸収液を再生して再びＣＯ2吸収塔に循環して再使用するものが採用されている（特許文献１）。
【０００４】
この従来の化学吸収法によるＣＯ2回収装置の運転は、吸収液再生塔において高温のスチーム等でアミン水溶液とＣＯ2とを分離させているが、このスチーム（エネルギー）の消費を最小化させる必要があった。そのため、これまで、二種類以上の異なるＣＯ2吸収液を混合して用いる方法（特許文献２、３）、ＣＯ2吸収液を送給するプロセスを改良する方法が検討されていた（特許文献４）。
【先行技術文献】
【特許文献】
【０００５】
【特許文献１】特開平７−５１５３７号公報
【特許文献２】特開２００１−２５６２７号公報
【特許文献３】特開２００５−２５４２１２号公報
【特許文献４】米国特許第６８００１２０号明細書
【発明の概要】
【発明が解決しようとする課題】
【０００６】
しかしながら、上述のＣＯ2吸収液を用いて燃焼排ガスのようなＣＯ2を含有する排ガスからＣＯ2を吸収除去・回収するシステムにおいては、燃焼設備に付加して設置されるため、その操業費用もできるだけ低減させる必要がある。特に吸収液を再生する吸収液再生塔においては、多量の熱エネルギーを消費するので、スチームのエネルギーをより軽減し、可能な限り省エネルギー化が可能なプロセスとする必要がある。
【０００７】
また、従来のＣＯ2回収システムが大型化し、ＣＯ2回収量が１日当たり例えば１０００ｔ以上の処理量となると、再生工程において要するリボイラの熱エネルギーも多量に消費することになるため、スチームのエネルギーをより軽減し、省エネルギー化を図る必要がある。
【０００８】
本発明は、前記問題に鑑み、リボイラの熱エネルギーをより軽減し、省エネルギー化を図るＣＯ2回収システムを提供することを課題とする。
【課題を解決するための手段】
【０００９】
上述した課題を解決するための本発明は、冷却されたＣＯ2を含有するボイラ排ガスとＣＯ2を吸収するＣＯ2吸収液とを接触させて前記ボイラ排ガスからＣＯ2を除去するＣＯ2吸収塔と、ＣＯ2を吸収したＣＯ2吸収液であるリッチ溶液からＣＯ2を放出させてＣＯ2吸収液を再生する吸収液再生塔とを備え、前記吸収液再生塔でＣＯ2を除去した再生吸収液であるリーン溶液をＣＯ2吸収液として前記ＣＯ2吸収塔で再利用するＣＯ2回収システムであって、前記吸収液再生塔から排出されたリーン溶液の熱を回収するリーン溶液降温手段と、前記リーン溶液降温手段で熱回収された前記リーン溶液と、前記ＣＯ2を吸収したリッチ溶液とで熱交換され、該リッチ溶液により前記リーン溶液を冷却するリッチ・リーン溶液熱交換器と、この冷却された前記リーン溶液をさらに冷却するリーンソルベントクーラと、を備え、前記リーン溶液降温手段は、ボイラ給水の加熱に用いるボイラ給水熱交換器からなることを特徴とするＣＯ2回収システムにある。
【発明の効果】
【００１２】
本発明によれば、リボイラの熱エネルギーをより軽減し、省エネルギー化を図ることができる。
【図面の簡単な説明】
【００１３】
【図１】図１は、実施例１に係るＣＯ2回収システムの概略図である。
【図２】図２は、実施例２に係るＣＯ2回収システムの概略図である。
【図３】図３は、実施例３に係るＣＯ2回収システムの概略図である。
【図４】図４は、従来技術に係るＣＯ2回収システムの概略図である。
【発明を実施するための形態】
【００１４】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例１】
【００１５】
本発明による実施例に係るＣＯ2回収システムについて、図面を参照して説明する。図１は、実施例１に係るＣＯ2回収システムの概略図である。
図１に示すように、ＣＯ2回収システム１０は、例えばボイラ１１やガスタービン等の産業設備から排出されたＣＯ2を含有する排ガス１２を冷却水１３によって冷却する排ガス冷却装置１４と、冷却されたＣＯ2を含有する排ガス１２とＣＯ2を吸収するＣＯ2吸収液１５とを接触させて前記排ガス１２からＣＯ2を除去するＣＯ2吸収塔１６と、ＣＯ2を吸収したＣＯ2吸収液（リッチ溶液）１７からＣＯ2を放出させて吸収液１５を再生する吸収液再生塔１８とを有する。
このシステムでは、前記吸収液再生塔１８でＣＯ2を除去した再生吸収液（リーン溶液）１５はＣＯ2吸収液１５として再利用する。
【００１６】
このＣＯ2回収システム１０を用いたＣＯ2回収方法では、まずＣＯ2を含有する排ガス１２は、排ガス送風機２０により昇圧された後、排ガス冷却装置１４に送られ、ここで冷却水１３により冷却され、ＣＯ2吸収塔１６に送られる。
ＣＯ2吸収塔１６は、塔内部に充填部１６Ａ、１６Ｂが設けられ、塔下部に配設される充填部１６Ａで排ガス１２とＣＯ2吸収液１５との対向接触効率を向上させている。塔上部に配設される充填部１６Ｂでは、排ガス１２と冷却水１９との対向接触効率を向上させている。
【００１７】
前記ＣＯ2吸収塔１６において、排ガス１２は例えばアミン系の吸収液１５と交向流接触し、排ガス１２中のＣＯ2は、化学反応（Ｒ−ＮＨ2＋Ｈ2Ｏ＋ＣＯ2→Ｒ−ＮＨ3ＨＣＯ3）によりＣＯ2吸収液１５に吸収され、ＣＯ2が除去された浄化排ガス２１は系外に放出される。ＣＯ2を吸収した吸収液１７は「リッチ溶液」とも呼称される。このリッチ溶液１７は、リッチ溶液ポンプ２２により昇圧され、リッチ・リーン溶液熱交換器２３において、吸収液再生塔１８でＣＯ2を除去されることにより再生された吸収液（リーン溶液）１５との熱交換により加熱され、その後吸収液再生塔１８に供給される。
【００１８】
この熱交換されたリッチ溶液１７は、吸収液再生塔１８の上部から再生塔１８内部に導入され、吸収液再生塔１８内を流下する際に、水蒸気２５による吸熱反応を生じて、大部分のＣＯ2を放出し、再生される。吸収液再生塔１８内で一部または大部分のＣＯ2を放出した吸収液は「セミリーン溶液」と呼称される。このセミリーン溶液は、吸収液再生塔１８下部に至る頃には、ほぼ全てのＣＯ2が除去された吸収液となる。このほぼ全てのＣＯ2が除去されることにより再生された吸収液は「リーン溶液」と呼称される。このリーン溶液１５は再生過熱器２４で飽和水蒸気２５により間接的に加熱される。
また、吸収液再生塔１８の塔頂部からは塔内においてリッチ溶液１７及びセミリーン溶液から放出された水蒸気を伴ったＣＯ2ガス２６が導出され、コンデンサ２７により水蒸気が凝縮され、分離ドラム２８にて水２６ｂが分離され、ＣＯ2ガス２６ａが系外に放出されて回収される。分離ドラム２８にて分離された水２６ｂは凝縮水循環ポンプ２９にて吸収液再生塔１８の上部に供給される。
再生された吸収液（リーン溶液）１５は、前記リッチ・リーン溶液熱交換器２３にて前記リッチ溶液１７により冷却され、つづいてリーンソルベントポンプ３０にて昇圧され、さらにリーンソルベントクーラ３１にて冷却された後、再びＣＯ2吸収塔１６に供給され、ＣＯ2吸収液１５として再利用される。
【００１９】
なお、図１中、符号１１ａはボイラ１１やガスタービン等の産業設備の煙道であり、１１ｂは煙突、１８Ａ、１８Ｂは充填部、１８Ｃはミストエリミネータ、３２は水蒸気凝縮水である。前記ＣＯ2回収システムは、既設の排ガス１２源からＣＯ2を回収するために後付で設けられる場合と、新設排ガス１２源に同時付設される場合とがある。煙突１１ｂには開閉可能な扉を設置し、ＣＯ2回収システムの運転時は閉止する。また排ガス１２源は稼動しているが、ＣＯ2回収システムの運転を停止した際は開放するように設定する。
【００２０】
本実施例では、吸収液再生塔１８から排出されたリーン溶液１５の熱を回収するリーン溶液降温手段５０を設けており、リーン溶液１５の熱を有効利用するようにしている。
すなわち、リーン溶液１５は吸収液再生塔１８で飽和水蒸気２５により間接的に加熱された水蒸気１５ａにより過熱されているので、１２０℃程度で系外に排出され、リッチ・リーン溶液熱交換器２３に導入される。
この際、リーン溶液降温手段５０によりその熱を回収し、リーン溶液１５の温度を降下させることで、リッチ・リーン溶液熱交換器２３の熱交換容量を小さくすることができる。
これは、リッチ溶液１７の温度が５０℃でリッチ・リーン溶液熱交換器２３に導入される場合、熱交換するリーン溶液１５の温度が１２０℃と高い場合には、熱交換後のリッチ溶液１７の温度は１１０℃となるので、その温度差が６０℃となる。
これに対し、リーン溶液１５の温度を降下させることで、リッチ・リーン溶液熱交換器２３に導入されるリーン溶液１５の温度が１００℃以下となり、熱交換後のリッチ溶液１７の温度は９５℃となる。
よって、リッチ溶液１７の上昇が１５℃も少なくなるので、その分リッチ・リーン溶液熱交換器２３の熱交換容量も小さくなる。
【００２１】
この結果、吸収液再生塔１８に導入されるリッチ溶液１７の温度が下がるので、このリッチ溶液１７からほぼ全てのＣＯ2を除去するためのリボイラー熱量を大幅に下げることができる。
【００２２】
ここで、リボイラー熱量とは、吸収液再生塔１８において、吸収液を再生させるために必要な熱容量をいう。
その内訳は、(ａ)吸収液を再生するための反応熱量Ｑ1、（ｂ）吸収液再生塔１８から溶液として持ち出される損失熱量Ｑ2、（ｃ）吸収液再生塔１８からＣＯ2と共に排出される水蒸気として持ち出される損失熱量Ｑ3の総和ＱRをいう。
本実施例によれば、リーン溶液１５の熱を回収するリーン溶液降温手段５０を設けることにより、リボイラ熱量の総和を減らすことができ、この結果リボイラ熱量が低下するので、吸収液再生塔１８側での熱使用量を大幅に低減することができる。
【実施例２】
【００２３】
本発明による実施例に係るＣＯ2回収システムについて、図面を参照して説明する。図２は、実施例２に係るＣＯ2回収システムの概略図である。
図２に示すように、ＣＯ2回収システム１０Ａにおけるリーン溶液降温手段５０としては、リーン溶液１５をフラッシュさせるフラッシュドラム５１と、このフラッシュさせた水蒸気を吸収液再生塔１８内に圧力をかけて供給するフラッシュ蒸気コンプレッサ５２とから構成されている。
【００２４】
フラッシュドラム５１でリーン溶液１５をフラッシュすることで、リーン溶液１５は１００℃となる。そして、リーン溶液ポンプ５３を介してリッチ・リーン溶液熱交換器２３に導入されるリーン溶液１５の温度は１００℃以下となる。
【００２５】
このように、吸収液再生塔１８から排出されるリーン溶液の温度Ｔ1が例えば１２０℃の場合、フラッシュドラム５１でリーン溶液１５をフラッシュすることで、フラッシュの後のリーン溶液１５の温度Ｔ2は１００℃となる。
【００２６】
例えばリッチ溶液１７の温度Ｔ3が５０℃の場合、リッチ・リーン溶液熱交換器２３に導入されるリーン溶液１５の温度Ｔ2が１００℃以下で熱交換されるので、熱交換後のリッチ溶液１７の温度Ｔ4は９５℃となる。なお、リーン溶液１５の熱交換後の温度Ｔ5は５５℃に低下する。なお、水蒸気として外部に排出する温度Ｔ6は８２．５℃である。
ここで、吸収液再生塔１８の塔内は０．９ｋｇ／ｃｍ2Ｇである。
【００２７】
よって、吸収液再生塔１８に導入されるリッチ溶液１７の温度が従来よりも低いので、吸収液再生塔１８でのリボイラ熱量の低下を図ることができる。
ここで、吸収液再生塔１８のリボイラ熱量の内訳は、(ａ)リッチ溶液１７を再生するための反応熱量Ｑ１（４０４ｋｃａｌ／ｋｇＣＯ2）、（ｂ）吸収液再生塔１８から溶液として持ち出される損失熱量Ｑ２（５５ｋｃａｌ／ｋｇＣＯ2）、（ｃ）吸収液再生塔１８からＣＯ2と共に排出される水蒸気として持ち出される損失熱量Ｑ３（８６ｋｃａｌ／ｋｇＣＯ2）の総和（５４５ｋｃａｌ／ｋｇＣＯ2）となる。
【００２８】
これに対し、従来技術のように、リーン溶液１５の熱を回収しない場合、例えばリッチ溶液１７の温度Ｔ3が５０℃の場合、リッチ・リーン溶液熱交換器２３に導入されるリーン溶液１５の温度Ｔ2が１２０℃で熱交換されるので、熱交換後のリッチ溶液１７の温度Ｔ4は１１０℃となる。なお、リーン溶液１５の熱交換後の温度Ｔ5は６０℃に低下する。なお、水蒸気として外部に排出する温度Ｔ6は９２．５℃である。
よって、リボイラ熱量の内訳は、(ａ)吸収液を再生するための反応熱量Ｑ1（４０４ｋｃａｌ／ｋｇＣＯ2）、（ｂ）吸収液再生塔１８から溶液として持ち出される損失熱量Ｑ2（１１０ｃａｌ／ｋｇＣＯ2）、（ｃ）吸収液再生塔１８からＣＯ2と共に排出される水蒸気として持ち出される損失熱量Ｑ3（１５１ｋｃａｌ／ｋｇＣＯ2）の総和ＱR（６６５ｋｃａｌ／ｋｇＣＯ2）となる。
【００２９】
図２の本発明に係るＣＯ2回収システム１０Ａの吸収液再生塔１８のリボイラ熱量は、５４５ｋｃａｌ／ｋｇＣＯ2であるのに対し、図４の従来技術に係るＣＯ2回収システム１０Ｃの吸収液再生塔１８のリボイラ熱量は、６６５ｋｃａｌ／ｋｇＣＯ2であり、大幅なリボイラ熱量の低減を図ることができることが判明した。
【００３０】
このように、本発明によれば、表１に示すように、リーン溶液の熱を有効的に回収することで、吸収液再生塔１８側における熱量の総和を大幅に低減することができると共に、ランニングコストの大幅な低減となる。
【００３１】
【表１】
0005737916.tif 000002
【００３２】
なお従来技術における提案では、吸収液再生塔１８の塔内に供給するリッチ溶液１７の温度を上昇させて、塔内でのリボイラ熱量を下げることを主眼として検討していたが、本発明のように、塔内のみならず、（ｂ）吸収液再生塔１８から溶液（リーン溶液）として持ち出される損失熱量Ｑ2と、（ｃ）吸収液再生塔１８からＣＯ2と共に排出される水蒸気として持ち出される損失熱量Ｑ3（１５１ｋｃａｌ／ｋｇＣＯ2）とを考慮して全体として低減することとしたので、リーン溶液１５の熱を回収することで、システム全体のエネルギー効率の向上を図ることができる。
【実施例３】
【００３３】
本発明による実施例に係るＣＯ2回収システムについて、図面を参照して説明する。図３は、実施例３に係るＣＯ2回収システムの概略図である。
図３に示すように、ＣＯ2回収システム１０Ｂにおけるリーン溶液降温手段５０としては、ボイラ給水６１の加熱に用いるボイラ給水熱交換器６２から構成されている。
ボイラ給水６１と熱交換することで、リーン溶液１５は１００℃以下とすることができ、リッチ・リーン溶液熱交換器２３に導入されるリーン溶液１５の温度は１００℃以下となり、熱交換後のリッチ溶液１７の温度は９５℃となる。
【００３４】
その内訳は、(ａ)吸収液を再生するための反応熱量Ｑ1（４０４ｋｃａｌ／ｋｇＣＯ2）、（ｂ）吸収液再生塔１８から溶液（リーン溶液）として持ち出される損失熱量Ｑ2（５５ｃａｌ／ｋｇＣＯ2）、（ｃ）吸収液再生塔１８から水蒸気２６ａとして持ち出される損失熱量Ｑ3（１５５ｋｃａｌ／ｋｇＣＯ2）の総和ＱR（６１４ｋｃａｌ／ｋｇＣＯ2）となる。
【００３５】
図３の本発明に係るＣＯ2回収システム１０Ｂの吸収液再生塔１８のリボイラ熱量は、６１４ｋｃａｌ／ｋｇＣＯ2であるのに対し、図４の従来技術に係るＣＯ2回収システム１０Ｃの吸収液再生塔１８のリボイラ熱量は、６６５ｋｃａｌ／ｋｇＣＯ2であり、大幅なリボイラ熱量の低減を図ることができることが判明した。
【００３６】
以上より、本発明のＣＯ2回収システムによれば、ＣＯ2回収量が１日当たり例えば１０００ｔ以上の処理量となる大型化した場合における吸収液再生に要するリボイラの熱エネルギーの大幅な軽減を図ることができ、システム全体の省エネルギー化を図ることができる。
【産業上の利用可能性】
【００３７】
以上のように、本発明に係るＣＯ2回収システムによれば、リボイラの熱エネルギーをより軽減し、省エネルギー化を図ることができる。
【符号の説明】
【００３８】
１０、１０Ａ、１０Ｂ  ＣＯ2回収システム
１１  ボイラ
１２  排ガス
１５  ＣＯ2吸収液（リーン溶液）
１６  ＣＯ2吸収塔
１７  リッチ溶液
１８  吸収液再生塔
５０  リーン溶液降温手段
５１  フラッシュドラム
５２  フラッシュ蒸気コンプレッサ
６１  ボイラ給水
６２  ボイラ給水熱交換器
【図１】
0005737916.tif 000003
【図２】
0005737916.tif 000004
【図３】
0005737916.tif 000005
【図４】
0005737916.tif 000006